(57)【要約】【課題】複数種類の保護部材を１つの金型で成型できるようにすることで、初期費用を抑える。【解決手段】第１の平板部１０１のブロック１０５ａとブロック１０５ｂがスリット１０６により分離可能である。この分離により、ブロック１０５ａと第３の平板部１０３ａと第２の平板部１０２ａとで構成される保護パーツＡと、ブロック１０５ｂと第３の平板部１０３ｂと第２の平板部１０２ｂとで構成される保護パーツＡとを得ることができる。また、第１の平板部１０１と第２の平板部１０２ａがスリット１０７ａにより分離可能である。この分離により、第２の平板部１０２である保護パーツＢと、ブロック１０５ａと第３の平板部１０３ａとで構成される保護パーツＣを得ることができる。【選択図】図１
2016145048.tif 000002
【特許請求の範囲】
【請求項１】
平板状の第１の平板部の両側から前記第１の平板部に対して垂直に平板状の２つの第２の平板部が突出した「］」構造と、
前記第１の平板部に含まれる複数の面のうち前記２つの第２の平板部の先端面と同じ方向を向く面である基底面から平板状の第３の平板部が前記基底面に対して垂直に突出した「⊥」構造とが構成され、
前記第１の平板部と前記第３の平板部とによる前記「⊥」構造が、前記２つの第２の平板部から分離可能に形成されている保護部材。
【請求項２】
前記第１の平板部は、一方の第２の平板部から他方の第２の平板部に至る方向で複数のブロックに区分され、各ブロックの基底面において第３の平板部が基底面に対して垂直に突出してブロックごとに前記「⊥」構造が構成され、
ブロックごとに分離可能に形成されている請求項１に記載の保護部材。
【請求項３】
各ブロックにおいて、第３の平板部が一方の第２の平板部から他方の第２の平板部に至る方向に延在している請求項２に記載の保護部材。
【請求項４】
各ブロックにおいて、ブロックの中央位置で、第３の平板部が一方の第２の平板部から他方の第２の平板部に至る方向に延在している請求項３に記載の保護部材。
【請求項５】
各ブロックにおいて、第３の平板部が一方の第２の平板部から他方の第２の平板部に至る方向と垂直な方向に延在している請求項２に記載の保護部材。
【請求項６】
各ブロックにおいて、ブロックの中央位置で、第３の平板部が一方の第２の平板部から他方の第２の平板部に至る方向と垂直な方向に延在している請求項５に記載の保護部材。
【請求項７】
各ブロックの間にスリットが設けられている請求項２に記載の保護部材。
【請求項８】
前記第１の平板部と各第２の平板部との結合部分にスリットが設けられている請求項１に記載の保護部材。
【請求項９】
前記第１の平板部と前記第３の平板部とにより前記「⊥」構造が１つ構成される請求項１に記載の保護部材。
【請求項１０】
単一の金型により成型されて得られる請求項１に記載の保護部材。
【請求項１１】
発泡スチロールを材料とする請求項１に記載の保護部材。
【発明の詳細な説明】
【技術分野】
【０００１】
本発明は、保護部材に関する。
例えば、本発明は、冷蔵庫等を保護するため保護部材に関する。
【背景技術】
【０００２】
大型製品貨物である冷蔵庫等は、工場から顧客に届くまでには輸送（トラック、鉄道等）や荷役（貨物をトラックの荷台へ積んだり降ろしたり、移動させたりすること）で振動や衝撃などの様々な外力を受ける。
【０００３】
例えば、トラック輸送中の段差通過やトラックからの積み下ろしなどの衝撃によって、冷蔵庫の筐体が変形したことで扉が下がることがあり、変形が大きい場合は扉が開かないといった問題が生じることがあった。
【０００４】
また、扉側に物がぶつかるか、運搬の際のひざ当てなど外力が加わった際、段ボール製包装箱がたわみ、意匠上非常に重要な扉の前面や側面に打痕による傷つきが発生してしまうという問題もあった。
【０００５】
それらの問題を解決するため、従来の梱包装置として特許文献１には、冷蔵庫を段ボールで覆った梱包装置において、上下２枚以上の扉を有した冷蔵庫を梱包する際に、上下の扉の間隔に挿入するスペーサとそのスペーサの前面と側面とを突出させて拡張することで、扉と接する面を備えた保護緩衝体で外力から把手部とその周辺部を保護する梱包装置が開示されている（図７、図８、図９）。
【０００６】
また特許文献２には、特許文献１と同等構造のスペーサにおいて、その当接面の上側角部に傾斜部を設けたことで段ボールを容易に被せられるようにして梱包作業性を改善した梱包装置が開示されている。
【先行技術文献】
【特許文献】
【０００７】
【特許文献１】実開昭５５−１１５５８１号公報
【特許文献２】実開平０３−０１９８８５号公報
【発明の概要】
【発明が解決しようとする課題】
【０００８】
しかしながら、冷蔵庫本体仕様において左右両開き扉化による大型化や質量増加による荷扱い性の悪化が進んでおり、従来の梱包装置では外力から製品を保護するには十分ではなく、角部用や中央部用、側面用などの保護箇所によって其々保護部材が必要となり、箇所毎の保護部材に専用金型が必要で初期費用が増加してしまうという課題があった。
【０００９】
本発明は、このような課題を解決することを主な目的としており、複数種類の保護部材を１つの金型で成型できるようにすることで、初期費用を抑えることを主な目的とする。
【課題を解決するための手段】
【００１０】
本発明に係る保護部材は、
平板状の第１の平板部の両側から前記第１の平板部に対して垂直に平板状の２つの第２の平板部が突出した「］」構造と、
前記第１の平板部に含まれる複数の面のうち前記２つの第２の平板部の先端面と同じ方向を向く面である基底面から平板状の第３の平板部が前記基底面に対して垂直に突出した「⊥」構造とが構成され、
前記第１の平板部と前記第３の平板部とによる前記「⊥」構造が、前記２つの第２の平板部から分離可能に形成されている。
【発明の効果】
【００１１】
本発明によれば、１つの保護部材を容易に分割可能な構造とすることで複数種類の保護部材として活用することが可能であり、分割構造としたことで１つの金型で成型でき、初期費用を抑えることが可能である。
【図面の簡単な説明】
【００１２】
【図１】実施の形態１に係る保護部材の斜視図。
【図２】実施の形態１に係る保護部材の分割例１の斜視図。
【図３】実施の形態１に係る保護部材の分割例２の斜視図。
【図４】実施の形態１に係る保護部材の分割例３の斜視図。
【図５】実施の形態１に係る保護部材の斜視図。
【図６】実施の形態１に係る斜視図（組合せ図）。
【図７】従来の形態に係る斜視図（組合せ図）。
【図８】従来の形態に係る保護部材の斜視図。
【図９】従来の形態に係る保護部材の斜視図。
【発明を実施するための形態】
【００１３】
実施の形態１．
以下に、本実施の形態に係る保護部材を、図を参照して説明する。
なお、この実施の形態によりこの発明が限定されるものではない。
【００１４】
＊＊＊構成の説明＊＊＊
図１に、本実施の形態に係る保護部材１００の基本構造を示す。
図２に、保護部材１００を分割して得られる保護パーツＡを示す。
図３に、保護部材１００を分割して得られる保護パーツＢを示す。
図４に、保護部材１００を分割して得られる保護パーツＣを示す。
【００１５】
図１に示すように、本実施の形態に係る保護部材１００は、平板状の第１の平板部１０１の両側から第１の平板部１０１に対して垂直に平板状の２つの第２の平板部１０２ａ、１０２ｂが突出した「］」構造を有する。
そして、「］」構造において、第１の平板部１０１に含まれる複数の面のうち２つの第２の平板部１０２ａ、１０２ｂの先端面１０２０ａ、１０２０ｂと同じ方向を向く面である基底面１０４から平板状の第３の平板部１０３ａ、１０３ｂが基底面１０４に対して垂直に突出した２つの「⊥」構造が構成されている。
つまり、第１の平板部１０１は、第２の平板部１０２ａから第２の平板部１０２ｂに至る方向で複数のブロック１０５ａ、１０５ｂに区分され、各ブロック１０５ａ、１０５ｂの基底面１０４において第３の平板部１０３ａ、１０３ｂが基底面１０４に対して垂直に突出してブロックごとに「⊥」構造が構成されている。
第３の平板部１０３ａ、１０３ｂは、図１に示すように、各ブロックにおいて、ブロックの中央位置で、第２の平板部１０２ａから第２の平板部１０２ｂに至る方向に延在している。
【００１６】
そして、第１の平板部１０１は、ブロック１０５ａ、１０５ｂ単位で分離可能に形成されている。
分離を容易にするために、各ブロックの間にスリット１０６が設けられている。
つまり、分割しやすくするために、ブロックの境界部分（スリット１０６）の厚みを第１の平板部１０１の他の部分の厚みよりも薄い構造としている。
また、本実施の形態に係る保護部材１００では、第１の平板部１０１と第３の平板部１０３ａ、１０３ｂとによる２つの「⊥」構造が、２つの第２の平板部１０２ａ、１０２ｂから分離可能に形成されている。
分離を容易にするため、第１の平板部１０１と各第２の平板部１０２ａ、１０２ｂとの結合部分にスリット１０７ａ、１０７ｂが設けられている。
つまり、第１の平板部１０１と各第２の平板部１０２ａ、１０２ｂとの結合部分（スリット１０７ａ、１０７ｂ）の厚みは、分割しやすいように第１の平板部１０１の厚みより薄い構造としている。
【００１７】
なお、以下では、第２の平板部１０２ａ、１０２ｂを区別する必要がないときは、まとめて第２の平板部１０２と表記する。
また、第３の平板部１０３ａ、１０３ｂも区別する必要がないときは、まとめて第３の平板部１０３と表記する。
同様に、ブロック１０５ａ、１０５ｂも区別する必要がないときは、まとめてブロック１０５と表記する。
同様に、スリット１０７ａ、１０７ｂも区別する必要がないときは、まとめてスリット１０７と表記する。
【００１８】
保護部材１００をスリット１０６で分割すると、図２に示す保護パーツＡ１０８が得られる。
また、図２の保護パーツＡ１０８をスリット１０７で分割すると、図３に示す保護パーツＢ１０９と図４に示す保護パーツＣ１１０が得られる。
【００１９】
各保護パーツの使用事例を図６を例にとって説明する。
図６は、両開き扉タイプ冷蔵庫について、輸送中の引出扉の開閉防止、左右扉下がりの防止、運搬の際のひざ当て等による打痕からの保護のため、保護パーツで冷蔵庫を保護している状態を示している。
【００２０】
保護パーツＡ１０８は前面・側面と段ボール包装材とのクリアランス確保するため、冷蔵庫１の左右に取り付けている。
また、下側の保護パーツＡ１０８は引出扉の飛び出し防止の機能を有しており、上側の保護パーツＡ１０８は両開き扉の下がり防止の機能を有している。
【００２１】
保護パーツＢ１０９は、特に重要である意匠の正面を保護するために、取り付けた保護部材である。
冷蔵庫１への固定は固定用テープ３で行う。
【００２２】
保護パーツＣ１１０は両開き扉の下がりを防止するため、両開き扉の中央部の上下扉の間隔に挿入して固定する。
【００２３】
図１の保護部材１００は、第１の平板部１０１が二つのブロック１０５ａ、１０５ｂで構成され、第１の平板部１０１と第２の平板部１０２ａ、１０２ｂで「］」構造が形成されている。
これに代えて、図５に示すような保護部材１５０を用いるようにしてもよい。
図５の保護部材１５０では、第１の平板部１０１が一つのブロック１０５で構成され、第１の平板部１０１と第２の平板部１０２ａ、１０２ｂで「コ」の字に近い「］」構造が形成されている。
なお、図５において、図１と同じ符号の要素は、図１と同じである。
図１の保護部材１００では、保護パーツＡ１０８が二つ得られるが、図５の保護部材１５０では１つの保護パーツＡ１０８と１つの保護パーツＢ１０９が得られる。
図１の保護部材１００、図５の保護部材１５０のいずれも一つの金型で成形することができ、一つの金型で複数種類の保護パーツを得ることができる。
また、図示は省略しているが、第１の平板部１０１が三つ以上のブロック１０５で構成されるようにしてもよい。
【００２４】
また、保護部材１００、保護部材１５０は、弾性を有する発泡スチロールを材料とすることを想定しているが、材料は発泡スチロールに限定されるものではない。
【００２５】
また、本実施の形態では、左右対称で同形状のものを１つの保護部材として使用しているが、扉ヒンジの形状に合わせて厚みや形状が非対称な保護部材であってもよい。
【００２６】
＊＊＊効果の説明＊＊＊
以上のように、本実施の形態に係る保護部材を用いることで、図７に示すように従来の扉の固定で必要であった固定用テープ３の使用を極力少なくする効果がある。
【００２７】
また、本実施の形態では、１つの保護部材を容易に分割可能な構造とすることで３種類の保護部材として活用することが可能であり、分割構造としたことで１つの金型で成型でき、初期費用を抑えることが可能である。
【符号の説明】
【００２８】
１  冷蔵庫、３  固定用テープ、１００  保護部材、１０１  第１の平板部、１０２  第２の平板部、１０３  第３の平板部、１０４  基底面、１０５  ブロック、１０６  スリット、１０７  スリット、１０８  保護パーツＡ、１０９  保護パーツＢ、１１０  保護パーツＣ、１５０  保護部材、１０２０  先端面。
【図１】
2016145048.tif 000003
【図２】
2016145048.tif 000004
【図３】
2016145048.tif 000005
【図４】
2016145048.tif 000006
【図５】
2016145048.tif 000007
【図６】
2016145048.tif 000008
【図７】
2016145048.tif 000009
【図８】
2016145048.tif 000010
【図９】
2016145048.tif 000011